(57)【要約】【課題】操作が容易で、チューブの開放状態と閉塞状態の区別を容易に確認可能なチューブクランプ装置を提供する。【解決手段】前後方向に貫通し輸液チューブ５を挿通可能な内腔４、および内腔を開口させて形成された上部窓６を有するハウジング１と、上部窓に上面が露出し内腔の前後方向に直線移動可能なようにハウジングに装着されたスライダ２と、上部窓に面して配置されハウジングに回動可能に支持されて、その回動支点から伸びた基体部３ａと基体部の先端からハウジングの内腔に向かって屈曲して形成されたクランプヘッド３ｂとを有し、回動に伴いクランプヘッドの先端が内腔の内外方向に回動するクランプ部材３とを備え、クランプ部材とスライダは互いに係合する連係部７、８を有し、連係部での係合を介して、スライダの直線移動がクランプヘッドの回動に変換される。【選択図】図３
2006255397.tif 000002
【特許請求の範囲】
【請求項１】
前後方向に貫通し輸液チューブを挿通可能な内腔、および前記内腔を開口させて形成された上部窓を有するハウジングと、
前記上部窓に上面が露出し前記内腔の前後方向に直線移動可能なように前記ハウジングに装着されたスライダと、
前記上部窓に面して配置され前記ハウジングに回動可能に支持されて、その回動支点から伸びた基体部と前記基体部の先端から前記ハウジングの内腔に向かって屈曲して形成されたクランプヘッドとを有し、回動に伴い前記クランプヘッドの先端が前記内腔の内外方向に回動するクランプ部材とを備え、
前記クランプ部材と前記スライダは互いに係合する連係部を有し、前記連係部での係合を介して、前記スライダの直線移動が前記クランプヘッドの回動に変換されることを特徴とするチューブクランプ装置。
【請求項２】
前記クランプ部材の回動位置が外方端にある状態では、前記クランプ部材の上面が前記上部窓から外部に突出し、前記クランプ部材の回動位置が内方端にある状態では、前記クランプ部材の上面が前記上部窓内に収納される請求項１に記載のチューブクランプ装置。
【請求項３】
前記内腔の左右側壁内面に、前記上部窓に沿って前後方向に延びる案内溝が形成され、
前記クランプ部材は前記基体部の側面に連係溝を有し、
前記スライダは前記案内溝に係合してその移動が前後方向の直線移動に規制されるように案内されるとともに、前記クランプ部材側の端部に前記クランプ部材の回動支点よりも外方に位置する内方突起を有して、その内方突起が前記クランプ部材の前記連係溝に係合し、
前記スライダの直線移動に伴い、前記連係溝と前記内方突起の係合を介して、前記スライダの直線移動が前記クランプヘッドの回動に変換される請求項１に記載のチューブクランプ装置。
【請求項４】
前記クランプヘッドの回動位置が内方端にある状態では、前記内腔の前後方向における前記クランプ部材の回動支点に対して、前記クランプヘッドの先端の方が前記連係溝と前記内方突起の係合位置よりも近くなるように構成された請求項１に記載のチューブクランプ装置。
【請求項５】
前記クランプ部材が、前記ハウジング及び前記スライダとは異なる色彩を有する請求項１から４のいずれかの項に記載のチューブクランプ装置。
【発明の詳細な説明】
【技術分野】
【０００１】
本発明は、柔軟性を有するチューブを挟持して、その内腔を閉塞し、あるいはチューブ内腔の流路断面積を調整するために用いられるチューブクランプ装置に関する。
【背景技術】
【０００２】
輸液や輸血に際しては、輸液バッグまたは輸血バッグから、柔軟性を有するチューブを用いて薬液や血液を患者に送る。例えば、腹膜透析療法においては、透析患者の腹腔にシリコーンゴム製の腹膜カテーテルを埋植し、この腹腔カテーテルに接続されたトランスファーチューブ(エキステンションチューブ)を通して、腹腔内に対する腹膜透析液の導入及び排出を行う。このトランスファーチューブには、腹腔内に貯留した腹膜透析液が漏出しないように、チューブを閉塞するためのチューブクランプが装着されている。
【０００３】
従来、一般的に使用されているチューブクランプとしては、例えば特許文献１に記載されたような、チューブを閉塞するための押圧部材として機能するローラを、ハウジング中に移動可能に装着したものがある。ローラを指で回転させることにより位置を変化させると、ローラの位置に応じてハウジングの底面とのクリアランスが変化し、チューブを閉塞する状態と開放する状態が得られる。
【０００４】
また、特許文献２には、チューブをクランプする作用は特許文献１と同様であるが、操作をし易いように改良されたチューブクランプが記載されている。すなわち、ハウジングの内部にローラに代えて、移動可能な押圧部材と、押圧部材を移動させるためのレバー状の操作部材とを組み合わせて装着した構造を有する。押圧部材を指で直接操作する必要がなく、操作部材を、ハウジングへの取り付け箇所を支軸として回動させる。操作部材の端部の回動の軌跡が、押圧部材の端部と交差するように設定されており、その交差位置で操作部材の端部が押圧部材の端部に当接し、チューブをクランプする向きに押圧部材を移動させる。押圧部材自体を操作するよりも操作部材を操作する方が、小さい力でクランプ操作を容易かつ確実に行うことができる。
【特許文献１】特開昭５５−７２９８６号公報
【特許文献２】特開平７−１００２０７号公報
【発明の開示】
【発明が解決しようとする課題】
【０００５】
特許文献１に記載のローラを指で操作する構造の場合、ローラを回転させて直線方向に移動させる操作に力を要し、微妙な操作をするのは困難である。操作力を軽減して操作性を向上させようとすると、ローラの径を大きくする必要がある。一方、小さな押圧力でチューブを確実に閉塞するには、ローラの径が小さい方が有利である。従って、特許文献１に記載の構造は、操作の容易性と閉塞作用の確実性を同時に良好にするには、構造的な矛盾が障害となる。
【０００６】
一方、特許文献２の構造を用いることにより、操作性は改善される。しかしながら、操作部材の端部の回動に伴う当接により押圧部材を移動させるため、十分な移動量を確保するためには押圧部材がある程度大きな寸法を有することが必要である。従って、押圧部材の寸法を小さくして、小さな力で確実な閉塞作用を得るには不適当な構造である。また、押圧部材は回転しないので、閉塞作用を得るために押圧部材を移動させると、チューブに対して押圧部材が摺動する状態が発生する。そのため、摩擦によりチューブに対するダメージが大きくなるおそれがある。
【０００７】
また、いずれの構造の場合も、チューブの開放状態と閉塞状態の区別を確認し難いため、不測の事故が発生する恐れがある。
【０００８】
以上のことを考慮して、本発明は、操作が容易で、チューブの開放状態と閉塞状態の区別を容易に確認可能なチューブクランプ装置を提供することを目的とする。
【課題を解決するための手段】
【０００９】
本発明のチューブクランプ装置は、前後方向に貫通し輸液チューブを挿通可能な内腔、および前記内腔を開口させて形成された上部窓を有するハウジングと、前記上部窓に上面が露出し前記内腔の前後方向に直線移動可能なように前記ハウジングに装着されたスライダと、前記上部窓に面して配置され前記ハウジングに回動可能に支持されて、その回動支点から伸びた基体部と前記基体部の先端から前記ハウジングの内腔に向かって屈曲して形成されたクランプヘッドとを有し、回動に伴い前記クランプヘッドの先端が前記内腔の内外方向に回動するクランプ部材とを備え、前記クランプ部材と前記スライダは互いに係合する連係部を有し、前記連係部での係合を介して、前記スライダの直線移動が前記クランプヘッドの回動に変換されることを特徴とする。
【発明の効果】
【００１０】
上記構成のチューブクランプ装置によれば、上部窓から平面的に大きな面積で露出するスライダを平行移動させることにより、スライダとクランプ部材の連係を介して、容易にチューブをクランプすることができ、操作性が向上する。また、開放状態と閉塞状態との間で、クランプ部材の上部窓に対する状態が明確に相違するため、開閉状態の視認性がよく、指の触覚で開閉状態を把握することも可能である。
【発明を実施するための最良の形態】
【００１１】
本発明のチューブクランプ装置において、好ましくは、前記クランプ部材の回動位置が外方端にある状態では、前記クランプ部材の上面が前記上部窓から外部に突出し、前記クランプ部材の回動位置が内方端にある状態では、前記クランプ部材の上面が前記上部窓内に収納されるように構成する。この構成によれば、クランプ部材がハウジングから突出した状態と、ハウジング内に収容された状態とを、視認あるいは指の触覚によりにより区別することが、更に容易になる。
【００１２】
本発明のチューブクランプ装置は、前記内腔の左右側壁内面に、前記上部窓に沿って前後方向に延びる案内溝が形成され、前記クランプ部材は前記基体部の側面に連係溝を有し、前記スライダは前記案内溝に係合してその移動が前後方向の直線移動に規制されるように案内されるとともに、前記クランプ部材側の端部に前記クランプ部材の回動支点よりも外方に位置する内方突起を有して、その内方突起が前記クランプ部材の前記連係溝に係合し、前記スライダの直線移動に伴い、前記連係溝と前記内方突起の係合を介して、前記スライダの直線移動が前記クランプヘッドの回動に変換される構成とすることができる。
【００１３】
また、好ましくは、前記クランプヘッドの回動位置が内方端にある状態では、前記内腔の前後方向における前記クランプ部材の回動支点に対して、前記クランプヘッドの先端の方が前記連係溝と前記内方突起の係合位置よりも近くなるように構成される。
【００１４】
この構成によれば、クランプされた輸液チューブ等からの反発力によりクランプヘッドの先端に押し戻す力が作用しても、クランプ状態は解除され難く、クランプ状態を安定して保持することができる。
【００１５】
また、前記クランプ部材が、前記ハウジング及び前記スライダとは異なる色彩を有することが好ましい。それにより、クランプ部材の動作状態、すなわちクランプの開閉状態の視認性を高めることができる。
【００１６】
以下、本発明の実施の形態におけるチューブクランプ装置について、図面を参照して具体的に説明する。
【００１７】
図１は、本発明の実施の形態におけるチューブクランプ装置の斜視図である。なお、同図は、チューブ開放状態にあるチューブクランプ装置を示す。図２はその平面図、図３は
図２におけるＡ−Ａ断面を示す断面図である。図４は、チューブクランプ装置の分解斜視図である。
【００１８】
このチューブクランプ装置は、ハウジング１と、スライダ２と、クランプ部材３とから構成される。
【００１９】
ハウジング１は、その前後方向に貫通した内腔４を有する。内腔４は、輸液チューブ５（図３参照）のような流路を形成するチューブを挿通できるように形成されている。ハウジング１の上面には、内腔４を開口させて形成された上部窓６を有する。スライダ２は、ハウジング１の上部窓６に上面が露出し、内腔４の前後方向に直線移動可能なようにハウジング１に装着されている。クランプ部材３は、上部窓６に面して配置され、ハウジング１に回動可能に支持されている。クランプ部材３は、その回動支点から伸びた基体部３ａと、基体部３ａの先端からハウジング１の内腔４に向かって屈曲して形成されたクランプヘッド３ｂとからなる。基体部３ａの回動に伴い、クランプヘッド３ａの先端は、内腔４の内外方向に回動する。
【００２０】
クランプ部材３は、基体部３ａの側面に連係溝７を有する。スライダ２は、クランプ部材３側の端部に内方突起８を有し、その内方突起８がクランプ部材３の連係溝７に係合している。この連係溝７と内方突起８の係合により、クランプ部材３とスライダ２の連係部が形成されている。それにより、スライダ２の直線移動に伴い、連係溝７と内方突起８の係合を介して、スライダ２の直線移動がクランプヘッド３ｂの回動に変換される。すなわち、スライダ２を前後方向に直線移動させることにより、クランプヘッド３ｂの先端が、上部窓６を通して内腔４の内部に向かって押し込まれ、あるいは、上部窓６から外側に引き出される。図１〜図３は、クランプヘッド３ｂの先端が、上部窓６から外側に引き出されている状態を示す。この状態では、スライダ２がクランプ部材３から最も離間する側に位置しており、図３の断面図に示されるように、クランプヘッド３ｂの先端３ｃは、輸液チューブ５を押圧することがなく、輸液チューブ５の内腔は開放状態である。
【００２１】
図３に示されるように、内腔４の左右側壁内面に、上部窓６に沿って前後方向に延びる案内溝９が形成されている。スライダ２は、図３においては上部窓６から露出し内方突起８が形成された操作部２ａと、内腔４内に位置し規制突起１０が形成された摺動部２ｂとからなる。規制突起１０は案内溝９に係合し、それにより、スライダ２はその移動が前後方向の直線移動に規制される。スライダ２の全体構造は、図４の分解斜視図に明確に示される。クランプ部材３は、基体部３ａの基端部に支軸１１を有する。支軸１１は、ハウジング１の側壁の上部窓６近傍に設けられた嵌合孔１２に嵌合して回動支点を形成し、それによりクランプ部材３がハウジング１に回動自在に支持されている。嵌合孔１２、すなわちクランプ部材３の回動支点の位置に対して、スライダ２の内方突起８は、より外側に位置する。従って、スライダ２がクランプ部材３から遠ざかる向きに移動させられるときには、クランプヘッド３ｂの先端３ｃが、上部窓６から外側に引き出される向きに回動させられる。
【００２２】
図５〜図７は、上記構成のチューブクランプ装置により、輸液チューブ５を閉塞させている状態を示す。図５はその斜視図、図６は平面図である。図７は、図６におけるＢ−Ｂ断面を示す。
【００２３】
この状態では、スライダ２は、クランプ部材３の側にスライドさせられている。従って図７に示すように、スライダ２の内方突起８は、クランプ部材３の基体部３ａの連係溝７
に対して、支軸１１からの最遠端に位置している。その結果、クランプヘッド３ｂの先端３ｃが、内腔４に最も深く押し込まれ、輸液チューブ５を押圧してその内腔を閉塞させている。
【００２４】
図７に示されるように、クランプヘッド３ｂの回動位置が内方端にある状態では、内腔４の前後方向におけるクランプ部材３の支軸１１（回動支点）に対して、クランプヘッド３ｂの先端３ｃの方が、連係溝７と内方突起８の係合位置よりも近くなるように構成されている。このような位置関係によれば、輸液チューブ５からの反発力によりクランプヘッド３ｂの先端３ｃを押し戻す力が作用しても、スライダ２に対して作用するクランプ状態を解除する向きの力は僅かである。従って、クランプ状態を安定して保持することができる。
【００２５】
以上のように、本実施の形態のチューブクランプ装置は、その内腔４に輸液チューブ５を挿通し、スライダ２の操作部２ａに指を押し当ててスライドさせて、図５〜図７に示した状態にスライダ２を位置させることにより、輸液チューブ５の内腔が閉塞されて、クランプ状態となる。一方、図１〜図３に示した状態にスライダ２を位置させることにより、輸液チューブ５の内腔が開放されて、クランプ状態が解除される。このように、スライダ２の並行移動により状態の変化を操作できるので、従来例のように小径のローラを操作する場合に比べて、軽い力で容易に操作できる。
【００２６】
また、図１〜図３の開放状態では、クランプ部材３が上部窓６から露出し、図５〜図７の閉塞状態では、クランプ部材３が上部窓６から露出する面積は極めて小さくなる。従って、開放状態と閉塞状態を容易に視認できる。また、視認しなくても、指の感触により状態の認識が可能である。このような状態の認識性は、本実施の形態の次の特徴により、更に向上する。すなわち、図１〜図３の開放状態では、クランプ部材３の上面が上部窓６から外部に突出し、図５〜図７の閉塞状態では、クランプ部材３上面が上部窓６内に収納される。このように本実施の形態によれば、ハウジング１から突出している部分の存在の有無を視認あるいは指の触覚により容易に感知することができるので、クランプの開閉状態を容易に認識可能である。
【００２７】
例えば腹膜透析患者は視覚が不自由な場合が多いので、この点は効果的である。なお、腹膜透析の際にはクランプを腹部の近くに配置するので、クランプ部材３の突出を触覚で認識することは操作に便利である。また、クランプ部材３に周囲の部分と異なる着色を施すことで、視認性を更に高めることもできる。
【００２８】
例えば、ハウジング１、スライダ２を白色などの淡色とし、クランプ部材３を赤色、黄色などにすれば、ハウジング１及びスライダ２に対してクランプ部材３を色彩的に明確なコントラストをもって識別できるので、クランプの開閉状態が認識容易となる。また、クランプ部材３が赤色、黄色などに呈色されていれば、警告表示あるいは注意を喚起する色彩として表示されるため、視認性向上のためにはより効果的である。なお、ハウジング１とスライダ２とを異なる色彩としてもよい。更にクランプの色彩に基づいてその開閉状態が認識可能になれば、患者のみならず患者を監視する医療従事者、介護者にとって、遠目にその開閉状態の認識が可能になるため、より安全なチューブクランプ装置の提供が可能となる。
【００２９】
さらに、本実施の形態におけるチューブクランプ装置によれば、クランプヘッド３ｂの先端３ｃが、内腔４に押し込まれ、輸液チューブ５を押圧してその内腔を閉塞させる際には、輸液チューブ５を実質的に横方向に圧搾するだけである。従って、輸液チューブ５の内腔に存在する輸液がクランプ操作に伴って移動する量は僅かであり、輸液が患者側コネクタ先端側に押し出されることがなく、液漏れすることがない。一方、従来のローラを前後方向に移動させて流路を閉塞させる構造の場合は、輸液チューブを閉塞したときに、患者側コネクタ先端からチューブ内の輸液が漏れ出ることがあり、不衛生である。
【産業上の利用可能性】
【００３０】
本発明のチューブクランプ装置は、操作が容易で、チューブの開放状態と閉塞状態の区別を容易に確認可能であって、輸液や輸血に用いるのに有用である。
【図面の簡単な説明】
【００３１】
【図１】本発明の実施の形態におけるチューブクランプ装置のチューブ開放状態における斜視図
【図２】同チューブクランプ装置の平面図
【図３】同チューブクランプ装置の図２におけるＡ−Ａ断面を示す断面図
【図４】同チューブクランプ装置の分解斜視図
【図５】同チューブクランプ装置のチューブ閉塞状態における斜視図
【図６】同チューブクランプ装置の平面図
【図７】同チューブクランプ装置の図６におけるＢ−Ｂ断面を示す断面図
【符号の説明】
【００３２】
１  ハウジング
２  スライダ
２ａ  操作部
２ｂ  摺動部
３  クランプ部材
３ａ  基体部
３ｂ  クランプヘッド
４  内腔
５  輸液チューブ
６  上部窓
７  連係溝
８  内方突起
９  案内溝
１０  規制突起
１１  支軸
１２  嵌合孔
【図１】
2006255397.tif 000003
【図２】
2006255397.tif 000004
【図３】
2006255397.tif 000005
【図４】
2006255397.tif 000006
【図５】
2006255397.tif 000007
【図６】
2006255397.tif 000008
【図７】
2006255397.tif 000009